(57)【特許請求の範囲】
【請求項１】
給油所に道路交通情報システムより提供される交通情報を受信する受信手段であるアンテナを設け、このアンテナに接続されたＰＯＳに複数の給油装置を接続し、給油装置のハウジング本体内に設けた給油機構に連結された給油管の先端に給油ノズルを有する給油ホースを連結し、給油ノズルを掛けるノズル掛けと、このノズル掛けの近傍に給油ノズルの掛け外しで給油機構を作動させるノズルスイッチと、給油機構からの計測量を表示する給油量表示計と、給油設定と高速道路交通情報表示を行う制御装置を有し、給油設定機能として設定等の入力を行うキーボード、顧客カードを読取るカードリーダー、設定内容を表示する表示手段である表示器で構成したデータ入出力機とを給油装置に設け、
また、前記アンテナから受信した交通情報をＰＯＳを介して分配された交通情報を選択するキーボードと、このキーボードからの出力を受けて該当する交通情報を表示する表示手段である表示器と、この表示器の表示画面を印刷するプリンターより構成され、前記制御装置は前記ノズルスイッチからのノズル外し信号で給油設定表示から高速道路交通情報表示に切り換える切換手段と、この切換手段からのデータを表示器に表示させる表示器駆動手段より構成され、前記表示器はデータ入出力機を構成する表示器と兼用して給油装置に設けたことを特徴とする給油装置。
【発明の詳細な説明】
【０００１】
【発明の属する技術分野】
本発明は、道路交通情報システムで提供される交通情報を表示する給油装置に関するものである。
【０００２】
【従来の技術】
かかる給油装置は機能性、及び顧客へのサービス向上を図るために、給油データの設定及び給油伝票を発行する給油データ入出力機、給油中の顧客にキャンペーン情報を表示する表示部等が一体に設けられている。ドライバーにとって最も関心が深い情報としては道路情報があるが、とりわけ、これから高速道路を利用して目的地に向かう人にとっては高速道路情報を知って、目的地までの所要時間を把握し、ゆとりをもって運転に望みたいものである。
【０００３】
【発明が解決しようとする課題】
しかし、高速道路情報は一般道路では入手できず、高速道路を走行なければならない。そのため、高速道路を走行して初めて事故等の交通障害が解り、目的地までの到着時間が予想できなり、運転に集中できなくなるという問題がある。
【０００４】
本発明はこのような問題に鑑みてなされたものであって、その目的とするところは、道路交通情報システムより提供される高速道路の渋滞情報、所要時間情報等を表示する給油装置を提供することである。
【０００５】
【課題を解決するための手段】
前記目的を達成するため請求項１記載の本発明は、給油所に道路交通情報システムより提供される交通情報を受信する受信手段であるアンテナを設け、このアンテナに接続されたＰＯＳに複数の給油装置を接続し、給油装置のハウジング本体内に設けた給油機構に連結された給油管の先端に給油ノズルを有する給油ホースを連結し、給油ノズルを掛けるノズル掛けと、このノズル掛けの近傍に給油ノズルの掛け外しで給油機構を作動させるノズルスイッチと、給油機構からの計測量を表示する給油量表示計と、給油設定と高速道路交通情報表示を行う制御装置を有し、給油設定機能として設定等の入力を行うキーボード、顧客カードを読取るカードリーダー、設定内容を表示する表示手段である表示器で構成したデータ入出力機とを給油装置に設け、また、前記アンテナから受信した交通情報をＰＯＳを介して分配された交通情報を選択するキーボードと、このキーボードからの出力を受けて該当する交通情報を表示する表示手段である表示器と、この表示器の表示画面を印刷するプリンターより構成され、前記制御装置は前記ノズルスイッチからのノズル外し信号で給油設定表示から高速道路交通情報表示に切り換える切換手段と、この切換手段からのデータを表示器に表示させる表示器駆動手段より構成され、前記表示器はデータ入出力機を構成する表示器と兼用して給油装置に設けたことを要旨とするものである。
【０００６】
請求項１記載の本発明によれば、道路交通情報システムより提供される渋滞情報、所要時間情報等の交通情報を受信する受信手段と、該受信手段から得られる交通情報を表示する表示手段を給油装置に設けたので、高速道路のインターチェンジ付近に設けた給油所内の給油装置で、最寄りのインターチェンジを中心とした高速道路交通情報を入手でき、目的地までの所要時間を把握できる。また、前記表示手段は給油設定用の表示器と兼用したので、機器構成が簡略化される。
【０００７】
【発明の実施の形態】
以下、本発明の実施の形態を図面に基づいて説明する。図１は本発明の給油装置の実施例を示す構成図、図２は本発明の制御を示すブロック、図３は表示部に交通情報を表示した図である。
【０００８】
以下、本発明の実施の形態を図面に基づいて説明する。図１、２に示すように、高速道路のインターチェンジ付近に設けた給油所に道路交通情報システムより提供される交通情報を受信する受信手段であるアンテナ１を設け、このアンテナ１に接続されたＰＯＳ２が事務所内に配設され、このＰＯＳ２に接続された複数の給油装置３が敷地内に立設されている。ハウジング本体４内に設けた給油機構に連結された給油管の先端に給油ノズル５を有する給油ホース６を連結し、給油ノズル５を掛けるノズル掛け７と、このノズル掛け７の近傍に給油ノズル５の掛け外しで給油機構を作動させるノズルスイッチ８と、給油機構からの計測量を表示する給油量表示計９と、データ入出力機１０を備えている。
【０００９】
このデータ入出力機１０は給油設定と高速道路交通情報表示を行う制御装置１１を有しており、給油設定機能として設定等の入力を行うキーボード１２、顧客カードを読取るカードリーダー１３、設定内容を表示する表示手段である表示器１４で構成される。また、高速道路交通情報表示機能として道路交通情報システムより提供される高速道路の渋滞情報、所要時間情報等の交通情報を受信する受信手段であるアンテナ１から受信した交通情報をＰＯＳ２を介して分配された交通情報を選択するキーボード１２と、このキーボード１２からの出力を受けて該当する交通情報を表示する表示手段である表示器１４と、この表示器１４の表示画面を印刷するプリンター１５より構成されている。
【００１０】
制御装置１１はノズルスイッチ８からのノズル外し信号で給油設定表示から高速道路交通情報表示に切り換える切換手段２１と、この切換手段２１からのデータを表示器１４に表示させる表示器駆動手段２２より構成されている。
【００１１】
次に使用法及び動作について説明する。給油のために自動車が給油所に進入し、給油装置３の前に停止すると、顧客の所持する顧客カードをデータ入出力機１
０に設けられたカードリーダー１３に挿入してキーボード１２より給油量等を設定する。このとき表示器１４には顧客カードより読み取った顧客データと給油設定条件等が表示され、給油ノズル５をハウジング本体４より取り外して給油を行うとともに、制御装置１１にはノズルスイッチ８からのノズル外し信号が出力され、このノズル外し信号を受けて切換手段２１ではアンテナ１から受信され、ＰＯＳ２から分配される高速道路交通情報を表示する道路交通情報信号を表示器駆動手段２２に出力して、表示器１４に道路交通情報システムより提供される高速道路の交通障害、交通規制、混雑、渋滞、所要時間等の交通情報を最寄りのインターチェンジを中心として表示する。このとき、キーボード１２で知りたい交通情報を選択すると、例えば、図３に示すような所要時間を表示させることができ、目的のインターチェンジまでの所要時間が把握でき、目的地までの所要時間も把握することができる。また、必要があるならばキーボード１２に設けた出力キーでプリンター１６に印字することができる。
【００１２】
【発明の効果】
本発明に係る給油装置は以上詳細に述べた如くであって、道路交通情報システムより提供される渋滞情報、所要時間情報等の交通データを受信する受信手段と、該受信手段から得られる交通データを表示する表示手段を給油装置に設けたので、高速道路のインターチェンジ付近に設けた給油所内の給油装置で、最寄りのインターチェンジを中心とした高速道路交通情報を入手でき、目的地までの所要時間を把握できる。また、前記表示手段は給油設定用の表示器と兼用したので、機器構成が簡略化される。
【図面の簡単な説明】
【図１】  本発明の給油装置の実施例を示す構成図である。
【図２】  本発明の制御を示すブロック図である。
【図３】  表示器に交通情報を表示した図である。
【符号の説明】
１  アンテナ
２  ＰＯＳ
３  給油装置
４  ハウジング本体
５  給油ノズル
６  給油ホース
７  ノズル掛け
８  ノズルスイッチ
９  給油量表示計
１０  データ入出力機
１１  制御装置
１２  キーボード
１３  カードリーダー
１４  表示器
１５  プリンター
２１  切換手段
２２  表示器駆動手段
【図１】
0004016518.tif 000002
【図２】
0004016518.tif 000003
【図３】
0004016518.tif 000004